(57)【要約】【課題】  被写体載置台に載置された被写体を撮像する際の調整を容易なものとすることで、撮像作業の効率化を図ることができる撮像装置を提供する。【解決手段】  書留郵便物２を載置する原稿台３ａと、原稿台に載置された書留郵便物を撮像する画像読取部４とを有する撮像装置１は、画像読取部の撮像領域内で原稿台に載置された書留郵便物を撮像するための撮像領域の中心を示すマークＭ１からＭ４が原稿台に撮像領域外まで設けられている。【選択図】図３
2006244222.tif 000002
【特許請求の範囲】
【請求項１】
被写体を載置する被写体載置台と、その被写体載置台に載置された被写体を撮像する撮像手段とを有する撮像装置において、
前記撮像手段の撮像領域内で前記被写体載置台に載置された被写体を撮像するための前記撮像領域の中心を示すマークが前記被写体載置台上に前記撮像領域外まで設けられていることを特徴とする撮像装置。
【発明の詳細な説明】
【技術分野】
【０００１】
本発明は、被写体載置台に載置された被写体を撮像する撮像装置に関する。
【背景技術】
【０００２】
被写体載置台に載置された被写体を撮像する撮像装置は、撮像装置のピント距離、センサに対しての光路設計等の制約により、被写体の配置できる範囲が撮像装置との相対的な位置として制限される。
【０００３】
したがって撮像装置を使用して被写体の撮像を行う作業者は、被写体を撮像する際に、その制約から外れない位置に被写体を被写体載置台上で載置する必要がある。このように被写体を載置するのを容易にするために、撮像領域を示すマークを被写体載置台上に設けている。例えば、マークとしては撮像領域を示す矩形状の枠の端部を予め被写体載置台上に印刷している。
【０００４】
また、選択された原稿サイズに応じた中心線を原稿台に表示する技術も知られている（例えば、特許文献１参照）。
【特許文献１】特開平２−２５１９７６号公報
【発明の開示】
【発明が解決しようとする課題】
【０００５】
しかしながら、上述のように被写体の撮像面を上向きに向ける撮像方式の撮像装置は、被撮像面を下向きに向ける、例えばスキャナや複写機等とは使い勝手が異なる。このため、スキャナや複写機等と同様のアイデアを用いて被写体載置台上に単純にマークをつけると、被写体を被写体載置台上に載置したときにマークが隠れてしまう場合が発生する。このようにマークが隠れてしまうと、撮像可能な位置に被写体が載置されているか否かの判断な困難な場合が発生する。
【０００６】
特に、被写体が例えば書留郵便物のときは、書留郵便物に設けられたネットワーク上で管理を行うためのバーコードを撮像装置で撮像する場合がある。このバーコードは、書留郵便物に予め定められた位置に設けられてはおらず、書留郵便物ごとに種々の場所に設けられている。したがって、作業者はバーコードを撮像する際に、バーコードを撮像するのに調度良い位置へ書留郵便物を被写体載置台上で移動させる必要がある。ところが、書留郵便物を被写体載置台上に載置すると、書留郵便物で被写体載置台に設けられたマークが隠れてしまう場合が発生する。これでは作業者は書留郵便物のバーコードを被写体載置台上のいずれの所に位置させて良いかがわからず、バーコードが撮像領域内に載置されているか否かの判断は大変困難なものとなる。
【０００７】
このような困難が生じると、被写体を撮像装置に合わせた位置に調整しながら撮像作業を行う作業員の作業効率が低下し、位置あわせの調整の不便さに伴うストレスの発生につながる。
【０００８】
本発明は上記事情に鑑みてなされたものであって、その目的は、被写体載置台に載置された被写体を撮像する際の調整を容易なものとすることで、撮像作業の効率化を図ることができる撮像装置を提供することにある。
【課題を解決するための手段】
【０００９】
本発明は、被写体を載置する被写体載置台と、その被写体載置台に載置された被写体を撮像する撮像手段とを有する撮像装置において、撮像手段の撮像領域内で被写体載置台に載置された被写体を撮像するための撮像領域の中心を示すマークが被写体載置台上に撮像領域外まで設けられているものである。
【発明の効果】
【００１０】
本発明によると、被写体載置台に載置された被写体を撮像する際の調整を容易なものとすることで、撮像作業の効率化を図ることができる撮像装置を提供できる。
【発明を実施するための最良の形態】
【００１１】
以下、本発明の各実施の形態について図面を参照して説明する。
【００１２】
（第１の実施の形態）
図１は、撮像装置１の概略断面図である。撮像装置１は、配置された原稿、例えば書留郵便物２を載置するための被写体載置台である原稿台３ａが設けられた台３と、原稿台３ａに載置された書留郵便物２の画像を読取るために、台３上に設けられた画像読取部４、画像読取部４から出力された画像信号に基づいて印刷を行うプリンタ５、画像読取部４から出力されたデータ認識用のコードを示す信号に基づいてコードを認識するパーソナルコンピュータ６とを有している。
【００１３】
図２は、原稿台３ａに載置される書留郵便物２を示している。書留郵便物２は、その表面には図２に示すように、宛先等の文字とともにバーコード７が設けられている。このバーコード７は、差出人から書留郵便物２を引き受けた引受局でその書留郵便物２に固有に付される番号を示している。書留郵便物２は、そのバーコード７に基づいて図示しないネットワーク上で、引受局から、書留郵便物２の中継を行う中継局、書留郵便物２の配達を行う配達局までの間、いずれの局まで配送されたかの追跡等の管理が行われる。
【００１４】
画像読取部４は、原稿台３ａに載置された書留郵便物２へ光を照射するために原稿台３ａ上方の図中左右に配置された２つのランプ１１ａ，１１ｂと、原稿台３ａの上方を図示しないモータにより制御されて移動するミラー１２ａを有する第１のキャリッジ１２及びミラー１３ａ，ミラー１３ｂを有する第２のキャリッジ１３と、ミラー１２ａ、ミラー１３ａ、ミラー１３ｂに反射された原稿画像を結像するためのレンズ１４と、レンズ１４を通過した光を光電変換し電気信号に変換するＣＣＤ１５と、ＣＣＤ１５から出力された電気信号に基づいて画像処理を行う画像処理ＡＳＩＣ１６（アプリケーション・スペシフィック・インテグレイレッド・サーキット）を有している。
【００１５】
このように構成された画像読取部４は、ユーザの操作部（図示しない。）の所定操作に基づいて、画像を読取るための指示がなされると、原稿台３ａに載置された書留郵便物２にランプ１１ａ，１１ｂから光が照射されるとともに、第１のキャリッジ１２、第２のキャリッジ１３の待機位置からの移動が開始される。書留郵便物２から反射された反射光は、第１のキャリッジ１２のミラー１２ａ、第２のキャリッジ１３のミラー１３ａ、ミラー１３ｂ、レンズ１４を介してＣＣＤ１５に入射される。そして、ＣＣＤ１５で受光した光量に基づいて電気信号に変換され、その変換後の信号が画像処理ＡＳＩＣ１６へ出力される。画像処理ＡＳＩＣ１６は入力された画像信号に対して書留郵便物２に印字されたバーコード７の認識用の画像処理が行われ、また、書留郵便物２の複写出力用の画像処理が行われる。このように画像処理ＡＳＩＣ１６でバーコード認識用に処理されたバーコード信号はパーソナルコンピュータ６へ出力され、また、複写出力用に処理された画像信号はプリンタ５へ出力される。このようにして書留郵便物２の画像が読取られ、画像読取りが終了すると、ランプ１１ａ，１１ｂは消灯するとともに、第１のキャリッジ１２、第２のキャリッジ１３は、待機位置へ戻される。
【００１６】
パーソナルコンピュータ６は、各郵便局等に設置されるパーソナルコンピュータ等が接続された図示しないネットワークと接続されている。パーソナルコンピュータ６は、画像処理ＡＳＩＣ１６から出力されたバーコード信号に基づいて、書留郵便物２をネットワーク上で追跡するための処理を行う。プリンタ５は画像処理ＡＳＩＣ１６から出力された画像信号に基づいて書留郵便物２の表面の複写出力を行う。
【００１７】
図３は、原稿台３ａにマーキングされたマークを説明するための図である。図３に示すように、原稿台３ａの略中央部には、マークＭがマーキングされている。マークＭは、上述した画像読取部４の撮像領域の中心Ｐを示すために設けられている。マークＭは矩形の端部のみをマークしており、その中心が撮像領域の中心であることを作業者に視認可能にしている。なお、上述した画像読取部４の撮像領域は、中心Ｐを中心として所定の範囲（原稿台３ａの端部までは撮像できない範囲）となっている。
【００１８】
マークＭの外側には、マークＭ１からＭ４がマーキングされている。マークＭ１からＭ４は、直線形状のマークであり、撮像領域を示すマークＭの各端部をつないだときにつくられる矩形の各辺と垂直となるように、前記マークＭの外側から原稿台３ａの端部まで（撮像可能領域外まで）マーキングされている。また、マークＭ１とマークＭ３は中心Ｐを通過する同一直線上に、マークＭ２とマークＭ４は中心Ｐを通過する同一直線上にマーキングされている。
【００１９】
続いて、上述のように構成された撮像装置１を用いて、作業者が書留郵便物２を撮像する作用を説明する。被写体である書留郵便物２を撮像する場合と、バーコード７のみ（被写体の一部）を撮像する場合があるため、それぞれの場合について説明する。
【００２０】
先ず、書留郵便物２全体を撮像する場合について説明する。作業者は、書留郵便物２をその中心が撮像領域の中心Ｐと略一致するように原稿台３ａに載置しようとすると、書留郵便物２のサイズはマークＭより大きいため、マークＭは隠れてしまう。しかしながら、マークＭ１からＭ４は、原稿台３ａの端部までマークされているため、書留郵便物２を原稿台３ａに載置しても隠れることはない。このため作業者は、マークＭ１からＭ４を用いて撮像領域の略中心となるように、書留郵便物２を原稿台３ａ上で位置させることができる。図４は、このように作業者がマークＭ１からＭ４を用いて書留郵便物２を原稿台３ａに載置した状態を示す図である。このように、書留郵便物２を原稿台３ａ上で位置決めした後、作業者は、図示しない操作部を操作して書留郵便物２の複写を行う。
【００２１】
次に、書留郵便物２のバーコード７のみを撮像する場合について説明する。作業者は、書留郵便物２のバーコード７の中心を撮像領域の中心Ｐと略一致するように原稿台３ａに載置しようとするが、上述したように書留郵便物２のサイズがマークＭより大きいためマークＭは隠れてしまう。しかしながら、バーコード７の中心を撮像領域の中心Ｐに略一致させるように書留郵便物２をどのように動かしても、マークＭ１からＭ４は原稿台３ａの端部までマークされているため、マークＭ１とマーク３の少なくともいずれか、又はマークＭ２とマークＭ４の少なくともいずれかは、書留郵便物２によっては隠れることはない。このため、作業者は、マークＭ１からＭ４を用いて、又は書留郵便物２では隠されないマークＭ１とマーク２（又はマーク４）、又は、マークＭ３とマーク２（又はマークＭ４）を用いて、バーコード７が撮像領域の略中心となるように原稿台３ａ上で位置させることができる。図５は、このように作業者がマークＭ１からＭ４を見ながら、バーコード７が撮像領域の中心となるように書留郵便物２を原稿台３ａに載置した状態を示す図である。このように、バーコード７を原稿台３ａ上で位置決めした後、作業者は図示しない操作部を操作して、バーコード７を撮像する。
【００２２】
この第１の実施の形態の撮像装置１によると、原稿台３ａに載置された書留郵便物２を撮像する際の調整を容易なものとすることで撮像作業の効率化を図るとともに及び作業者のストレスの軽減を図ることができる。
【００２３】
（第２の実施の形態）
次に、第２の実施の形態について述べる。なお、前述した第１の実施の形態と同一の部分には同一の符号を付し詳細な説明は省略する。  
この第２の実施の形態の撮像装置１´は、原稿台３ａにマーキングされているマークが第１の実施の形態のマークＭ１からＭ４にかえて、マークＭ５からＭ８が配置されている。
【００２４】
図５に示すように原稿台３ａ上には、上述したマークＭの外側に、マークＭ５からマークＭ８がマークＭの各端部をつないだときにつくられる矩形の各辺と直行するようにマーキングされている。
【００２５】
マークＭ５からマークＭ８は略同様な形状をしているためマークＭ５を例として説明をする。マークＭ５は、直線形状の端部が垂直に内側に折れ曲がっている形状をしたマークが対となったものが３組で構成されている。また、各組のマークの直線状部分は、撮像領域の中心からの距離が異なっている。この各距離は、画像読取部４で原稿台３ａに載置された被写体をマクロ撮影するときの位置に対応している。その直線形状部分は、撮像領域を示すマークＭの各端部をつないだときにつくられる矩形の各辺と垂直となるように、前記マークＭの外側から前記マクロ撮影する際の撮像可能領域外となるようにそれぞれ設けられている。
【００２６】
このように構成された撮像装置１´を用いて作業者が書留郵便物２を撮像するときは、マークＭが書留郵便物２で隠れてしまうが、マークＭ５からＭ８を用いて画像読取部４の撮像領域に書留郵便物２を原稿台３ａに載置することができる。図７は、このように作業者がマークＭ５からＭ８を用いて書留郵便物２を原稿台３ａに載置した状態を示す図である。このように、書留郵便物２を原稿台３ａ上で位置決めした後、作業者は、図示しない操作部を操作して書留郵便物２の複写を行う。
【００２７】
また、作業者が書留郵便物２のバーコード部分をマクロ撮影する場合には、書留郵便物２のバーコード７をマークＭ５からＭ８を見ながら、バーコード７が中心となるように書留郵便物２を原稿台３ａに載置する。図８は、このように作業者がマークＭ５からＭ８を見ながらバーコード７を撮像領域の中心となるように書留郵便物２を原稿台３ａに載置した状態を示す図である。そして、バーコード７の位置を原稿台３ａ上で位置決めした後、作業者は、バーコード７が、マークＭ５からＭ８のそれぞれ３つの組となっているマークと対応しているかを判断し、図示しない操作部を操作した後、バーコード７の撮影を行うことにより、適切なマクロ撮影を行うことができる。
【００２８】
この第２の実施の形態の撮像装置１´によると、第１の実施の形態の撮像装置１と同様な効果に加え、書留郵便物２の一部であるバーコード７のマクロ撮影を適切に行うことができる。
【００２９】
また、上述した各実施の形態では、マークＭの近傍にマークＭ１からＭ４、マークＭ５からＭ８を設けるように構成したが、マークＭ１からＭ４、マークＭ５からＭ８が設けられていれば、作業者は撮像領域の中心のおおよその位置を予測することが可能なため、マークＭのマーキングを削除するようにしても良い。
【００３０】
さらに、上述した各実施の形態では、原稿台３ａ上に予めマークＭ１からＭ４、Ｍ５からＭ８をマーキングしている構成で説明したが、マーキングにかえて、マークＭ１からＭ４、Ｍ５からＭ８と同様な形状の光を原稿台３ａ上に照射するように構成しても良い。
【００３１】
なお、本発明は、上述した実施の形態そのままに限定されるものではなく、実施段階ではその要旨を逸脱しない範囲で構成要素を変形して具体化でき、また、実施の形態に開示されている複数の構成要素の適宜な組み合わせにより種々の発明を変形できるものである。
【図面の簡単な説明】
【００３２】
【図１】本発明の第１の実施の形態における撮像装置の断面を示す図。
【図２】同実施の形態における書留郵便物を示す図。
【図３】同実施の形態における原稿台上のマークを示す図。
【図４】同実施の形態における書留郵便物を撮像するために原稿台に書留郵便物を載置した状態を示す図。
【図５】同実施の形態における書留郵便物のバーコードを撮像するために原稿台に書留郵便物を載置した状態を示す図。
【図６】本発明の第２の実施の形態における原稿台上のマークを示す図。
【図７】同実施の形態における書留郵便物を撮像するために原稿台に書留郵便物を載置した状態を示す図。
【図８】同実施の形態における書留郵便物のバーコードを撮像するために原稿台に書留郵便物を載置した状態を示す図。
【符号の説明】
【００３３】
１…撮像装置，２…書留郵便物，３…台，３ａ…原稿台，４…画像読取部，５…プリンタ，６…パーソナルコンピュータ，７…バーコード，Ｍ，Ｍ１〜Ｍ８…マーク，Ｐ…撮像領域の中心
【図１】
2006244222.tif 000003
【図２】
2006244222.tif 000004
【図３】
2006244222.tif 000005
【図４】
2006244222.tif 000006
【図５】
2006244222.tif 000007
【図６】
2006244222.tif 000008
【図７】
2006244222.tif 000009
【図８】
2006244222.tif 000010